(57)【要約】  容器用蓋であって、容器（１０）に設けられた着座部（Ｓ）に嵌められ、保持される密閉部分（３２）を組み込む周囲区域（３１ａ）を有する閉鎖端部分（３１）と、周囲区域（３１ａ）に組み込まれた周縁部分（３３ａ）、および、より高い位置にある中央部分（３３ｂ）を有する取っ手（３３）とを備え、取っ手（３３）の周縁部分（３３ａ）と中央部分（３３ｂ）の隣接部とは切り取られて、使用者の少なくとも１本の指を挿入するとともに、使用者の手のひらおよび／または手首を密閉部分（３２）の区域に載せるのを可能にする径方向の開口部（３５）を画定し、それによって使用者の手がレバーを形成して、使用者が蓋（３０）を径方向の開口部（３５）に隣接する周囲区域（３１ａ）から徐々に開ける助けとなるようにする容器用蓋。
2008521717.tif 000002
【特許請求の範囲】
【請求項１】
容器（１０）に設けられた着座部（Ｓ）に着脱可能にプレス嵌めされ、保持されるための密閉部分（３２）を組み込む周囲区域（３１ａ）を有する閉鎖端部分（３１）を単一部片として備えるタイプの容器用蓋であって、
閉鎖端部分（３１）の周囲区域（３１ａ）の各々の拡張部に着座され、組み込まれた少なくとも１つの周縁部分（３３ａ）を有する取っ手（３３）と、閉鎖端部分（３１）に対して持ち上がった中央部分（３３ｂ）とをさらに備え、取っ手（３３）の周縁部分（３３ａ）と中央部分（３３ｂ）の隣接部とは、少なくとも１つの径方向の切り抜き（３４）によって切り取られて、使用者の少なくとも１本の指の指趾末節を蓋（３０）の外側から内側に径方向に挿入するとともに、使用者の手のひらおよび手首の少なくとも一方を、径方向の開口部（３５）に対して直径方向に対向する密閉部分（３２）の区域に載せるのを可能にするのに充分な寸法がある径方向の開口部（３５）を画定し、それによって使用者の手がレバーを形成して、使用者が径方向開口部（３５）に隣接する周囲区域（３１ａ）から徐々に蓋（３０）を開ける助けとなるようにすることを特徴とする、容器用蓋。
【請求項２】
軸線に対して直交する平面（Ｐ）に上方で含まれる蓋であって、取っ手（３３）が前記平面（Ｐ）に対して下方に配設置されることを特徴とする、請求項１に記載の蓋。
【請求項３】
密閉部分（３２）が平面（Ｐ）に上方で含まれ、閉鎖端部分（３１）が密閉部分（３２）に対して低くされていることを特徴とする、請求項２に記載の蓋。
【請求項４】
取っ手（３３）が、周縁部（３３ａ）から上向きに湾曲した輪郭を有する壁部分によって画定されていることを特徴とする、請求項１に記載の蓋。
【請求項５】
取っ手（３３）が、少なくとも１つの径方向の開口部（３５）が設けられた円錐台形状の壁によって画定されていることを特徴とする、請求項４に記載の蓋。
【請求項６】
密閉部分（３２）が円周受け台（３２ａ）によって画定され、外部周囲フランジ（３２ｂ）を組み込んでいることを特徴とする、請求項１に記載の蓋。
【発明の詳細な説明】
【技術分野】
【０００１】
本発明は、缶、またはガラス、プラスチック、もしくは他の適切な材料から作られた他の任意の容器などの容器を閉鎖する蓋に関する。本発明は特に、ある種の食品および化学薬品などの徐々に消費する粉末状または微粒子状バルク製品用の缶に使用するための蓋に関する。
【背景技術】
【０００２】
なんらかの食品または潜在的に有毒または腐食性である化学薬品などのある種の粉末状または微粒子状バルク製品は、密閉保管される必要があり、またそれらが市場に提示されている容器がそれまでに開封されていないという、消費者に対する明確な視覚的指示が設けられる必要がある。
【０００３】
こうした製品の多くは徐々に消費するものであることから、容器が初めて開かれた後、缶の中身へのアクセスを与える蓋は、保管されている製品を徐々に消費している間、再閉鎖された缶の気密性を保証し、その中に残っている内容物を保護するために、必要に応じて何度でも再閉鎖できることが必須である。
【０００４】
当技術では、缶本体の上縁部の内側にあってそこに密閉して二重に巻き締めされた周囲構造環部に蓋がプレス嵌めされている缶がよく知られている。このタイプの構造では、内容物の気密性は、缶の上方環状壁を画定する構造環部に設けられている、蓋を着座させ保持する着座部に蓋を嵌めると同時に保証される。
【０００５】
同出願人によるブラジル特許出願第０００３７２７−３号明細書は、プラスチック製の蓋であって、着座部に着座され、保持される着脱可能な密閉部分と、密閉部分の上方縁部のまわりに配設され、両端部を上方縁部に組み込ませた全体に半環状の１対の把持用ストリップとを備える蓋について記述している。把持用ストリップは、把持用ストリップの中央区域をプラスチック製蓋の密閉部分に連結する破裂可能な手段が裂けた後に、上記上方縁部と同一平面上の不作動位置から中央へ、持ち上がった作動位置に変位させることができる。上記把持用ストリップの作動位置で、使用者はそれらを把持して缶の蓋を引き抜く。
【０００６】
ブラジル特許出願第０２０３９５０−８号明細書も、同出願人によるものであるが、缶用のプラスチック製蓋を開示しており、それが単一部片として備える密閉部分は、初めて蓋が開けられる際に破れるようになっており、その円周拡張部内に、上方環部の幅と缶の下方スカートの高さの少なくとも一部とを通過して延びる割り込み部を提示している。上記蓋の密閉部分は、シールの上記割り込み部から突き出る、シールの一部を破ることによってのみ手で作動することができる把持用タブを組み込んでいる。使用者は、指をフックの形に曲げて蓋を缶から引き抜くだけでよい。
【０００７】
以上から分かるように、上述の構造ならびに他の従来技術の構造は、単一部片として成形されたプラスチック製の蓋を備えるが、主な問題は、蓋の密閉を最適化し、また金属製シールが使用される場合に一般的に起こるようなけがを使用者にさせることなく、簡単かつ安全に破ることのできる改竄明示のシールの備え付けをも最適化することである。
【発明の開示】
【発明が解決しようとする課題】
【０００８】
知られている缶用閉鎖構成に固有の従来的な問題が解決されたものの、新たな問題が生じており、これは、特にその内容物が粉末状または微粒子状の材料からなる場合に、缶が開けられる際に起こる。使用者が時折蓋を引き抜き、それを容器の軸線方向に引っ張り出すことから、上記容器の急激な開封が起こり、その瞬間に蓋が外れ、容器の開口部に陰圧が形成され、粉末状または微粒子状の材料を引きずり出し、ついにはそれを撒き散らすことになる。このようにして製品が台無しになり、失われてしまうことに加えて、容器の内容物によっては使用者にけがをさせ、または使用者を中毒状態にさせるリスクもある。
【０００９】
したがって、本発明の目的は、缶などの容器用の蓋に、使用者が蓋をそっと取り外して、望ましくなく容器の内容物を撒き散らし、または引きずり出すのを回避するように誘導する構造を設けることである。
【課題を解決するための手段】
【００１０】
本発明のこのおよび他の目的および利点は、容器に設けられた着座部に着脱可能にプレス嵌めされ、保持されるための密閉部分を組み込む周囲区域を有する閉鎖端部分を単一部片として備えるタイプの容器用蓋を提供することによって実現される。
【００１１】
本発明によれば、蓋は、閉鎖部分の周囲区域の各々の拡張部に着座され、組み込まれた少なくとも１つの周縁部分を有する取っ手と、閉鎖端部分に対して持ち上がった中央部分とをさらに備え、取っ手の周縁部分と中央部分の隣接部とは、少なくとも１つの径方向の切り抜きによって切り取られて、使用者の少なくとも１本の指の指趾末節を蓋の外側から内側に径方向に挿入するとともに、使用者の手のひらおよび手首の少なくとも一方を、径方向の開口部に対して直径方向に対向する密閉部分の区域に載せるのを可能にするのに充分な寸法がある径方向開口部を画定し、それによって使用者の手がレバーを形成して、使用者が径方向の開口部に隣接する周囲区域から徐々に蓋を開ける助けとなるようにする。
【００１２】
本発明の蓋の構造的構成は強制的に、使用者が手をレバーとして使用して、角度付きで蓋を取り外すようにする。その結果、蓋はそっと外されて、従来技術では容器の内容物を蓋が撒き散らし、または引きずり出す可能性のある容器の開口部での急激な空気の変位を回避する。
【００１３】
本発明を、添付図面を参照して以下に記述する。
【発明を実施するための最良の形態】
【００１４】
添付図面によると、本発明は、蓋３０であって、ポリプロピレン、ポリアミド、または他の任意の適切な材料などのプラスチック材料で射出または他のやり方の成形によって単一部片として作られ、金属、プラスチック、ガラス、または他の任意の適切な材料から作られた容器１０に設けられた着座部「Ｓ」に着脱可能に着座され、保持されるための適切な構造を備えた密閉部分３２を組み込む周囲区域３１ａを有する閉鎖端部分３１を備える蓋３０に関する。
【００１５】
図１および図２に示す実施形態では、容器１０の中央排出開口部「Ａ」に位置決めされる着座「Ｓ」は、容器１０の環状上方壁１１の内側端縁部を上向き、径方向外向きに湾曲させることによって得られる円周リブ１１ａによって画定され、上記円周リブ１１ａはその断面を円弧の少なくとも一部分によって画定され、上記環状上方壁１１は、着座部「Ｓ」が画定された外側縁部の対向側にある外側縁部を、通常二重巻き締めによって容器１０の周囲側壁の上方縁部１０ａに取り付けている。
【００１６】
図１および図２に示す実施形態でも、蓋３０の密閉部分３２は円周受け台３２ａによって画定され、円周受け台３２ａの断面は円弧の形態であり、その内側には、蓋３０が容器に閉鎖される際に、容器１０の環状上方壁１１の円周リブ１１ａが嵌められる。
【００１７】
密閉部分３２は、連続的な外部周囲フランジ３２ｂを組み込むこともでき、それは、円周リブ１１ａを蓋３０の円周受け台３２ａに嵌める際に容器１０の環状上方壁１１の隣接部分に着座されて、蓋３０を容器１０の開口部「Ａ」の閉鎖状態に維持する。
【００１８】
他方、図３および図４に示す実施形態では、容器１０の着座「Ｓ」は、環状上方壁１１に設けられた開口部「Ａ」の縁部に上方に組み込まれた懸垂筒状突出部１２によって画定される。懸垂筒状突出部１２には、例えば円形状を有することができる連続した筒状リブ１３を形成するように、開口部「Ａ」の内側に湾曲され、次いで上向きに懸垂筒状突出部１２に向かって湾曲された下方端部分が設けられている。
【００１９】
尚も図３および図４に示す実施形態で、蓋３０の閉鎖端部分３１の周囲区域３１ａは上方自由縁部３１ｂを有するが、これは外向き、下向き、次いで周囲区域３１ａに向かって湾曲されて、開口部「Ａ」のまわりで容器１０の環状上方壁１１に着座される筒状上方リブ３１ｃを画定する。
【００２０】
言うまでもなく、蓋３０の周囲区域３１ａの上方自由縁部３１ｂは異なる構造形態を提示してもよい。
【００２１】
図３および図４の構造では、蓋３０の周囲区域３１ａは下向きに延びて、包囲する側壁の形態の、連続した周囲凹部３２ｃが設けられた密閉部分３２を画定するが、周囲凹部３２ｃの内側には懸垂筒状突出部１２の連続した筒状リブ１３が密閉嵌めされ、軸方向に保持される。本発明によると、蓋３０は取っ手３３をさらに備え、取っ手３３は、円錐台形状または縁無し帽子の形態であることが好ましい、上向きに湾曲した輪郭の中央部分３３ｂを備える壁部分によって画定され、また、閉鎖端部分３１の周囲区域３１ａの各々の拡張部に着座され、好ましくは蓋３０と一緒に成形されることによって組み込まれた周縁部３３ａを有する。
【００２２】
図１および図２で示すように、取っ手３３の周縁部３３ａと、中央部分３３ｂの隣接部とは、径方向の切り抜き３４によって切り取られ、径方向の開口部３５を画定するが、これは使用者の少なくとも１本の指の指趾末節、好ましくは使用者の平行な指の指趾末節を蓋３０の外側から内側に径方向に挿入するのを可能にする。
【００２３】
好ましい構造では、径方向の切り抜き３４は蓋３０の内側に湾曲され、その中央部分は容器を開けるように蓋３０の中心と周囲区域３１ａとの間の径方向の区域に配設されて、使用者の指に対する快適な嵌め入れ位置を提供して、使用者の手のひらが、径方向の開口部３３に対して直径方向に対向する蓋３０の密閉部分３２の区域に載るようにし、それによって使用者の手がレバーを形成して、使用者の指を使用して蓋３０を徐々に開けられるようになる。
【００２４】
１つの容器を他の容器の上に積み重ねるのを可能にするために、またほとんどの容器には平坦な底壁が設けられていることを考慮して、蓋３０はその軸線に直交する平面Ｐに上方から含まれる。この理由から、上記蓋３０の閉鎖端部分３１は、密閉部分３２に対して下げられ、その上方筒状リブ３１ｃを上記平面Ｐに上方から含まれるようにし、好ましくは円錐台形状の取っ手３３は上記平面Ｐに対して下方から配設置される。しかしここに示さない代替的実施形態では、閉鎖する容器に凹状底壁が設けられる場合は、蓋の閉鎖部分とその密閉部分の両方を上記平面Ｐに含めることもでき、蓋の把持用取っ手は上記平面Ｐを越えて上向きに付き出る。
【００２５】
言うまでもなく、上述の実施形態は、主にその単純さによって好ましい実施形態であるが、本発明の蓋は、図３および図４に示すように２つの径方向の開口部３５、図５に示すように３つの径方向の開口部３５、またはここに示さないが均等角度に離隔されたさらに多くの開口部を提示することもできる。考慮するべき唯一の基本条件は、使用者が手をレバーとして使用して蓋を取り外せるように、径方向の開口部が常に蓋の中心と容器の開口周囲区域との間の区域に位置決めされるということにある。
【図面の簡単な説明】
【００２６】
【図１】本発明によって構築された蓋の上面図であり、その取っ手は指用の把持用開口部を提示している。
【図２】容器に取り付けられたときの本発明の蓋の直径方向の断面図であり、上記断面は図１の線ＩＩ−ＩＩによるものである。
【図３】本発明の蓋の代替的実施形態の上面図であり、取っ手は、指用の２つの径方向の把持用開口部を有する。
【図４】容器に取り付けられたときの本発明の蓋の直径方向の断面図であり、上記断面は図１の線ＩＶ−ＩＶによるものである。
【図５】本発明の蓋の第３の代替的実施形態の上面図であり、取っ手は、指用の３つの径方向の把持用開口部を有する。
【図１】
2008521717.tif 000003
【図２】
2008521717.tif 000004
【図３】
2008521717.tif 000005
【図４】
2008521717.tif 000006
【図５】
2008521717.tif 000007
【国際調査報告】
2008521717.tif 000008
2008521717.tif 000009